(57)【要約】【課題】インタレース走査方式に準じた画像信号の奇数フィールドと偶数フィールドの水平走査信号を同一走査ライン上に表示する画像信号を出力する半導体装置及び画像表示装置において、ペアリングルールを考慮することなく利用可能な半導体装置及び画像表示装置を提供する。【解決手段】インタレース走査方式に準じた画像信号の奇数フィールドと偶数フィールドの水平走査信号を同一走査ライン上に表示する画像信号を出力する半導体装置び画像表示装置において、奇数フィールドのｋ番目の水平走査信号と同一走査ライン上に表示させる画像信号として、偶数フィールドのｋ番目の水平走査信号または偶数フィールドのｋ−１番目の水平走査信号のいずれか一方の画像信号を選択可能に構成する。【選択図】図２
2005165154.tif 000002
【特許請求の範囲】
【請求項１】
インタレース走査方式に準じた画像信号の奇数フィールドと偶数フィールドの水平走査信号を同一走査ライン上に表示する画像信号を出力する半導体装置において、
前記奇数フィールドのｋ番目の水平走査信号と同一走査ライン上に表示させる画像信号として、前記偶数フィールドのｋ番目の水平走査信号または前記偶数フィールドのｋ−１番目の水平走査信号のいずれか一方の画像信号を選択可能に構成したことを特徴とする半導体装置。
【請求項２】
インタレース走査方式に準じた画像信号の奇数フィールドと偶数フィールドの水平走査信号を、画像表示手段の同一走査ライン上に表示する画像信号を出力する画像表示装置において、
前記奇数フィールドのｋ番目の水平走査信号と同一走査ライン上に表示させる画像信号として、前記偶数フィールドのｋ番目の水平走査信号または前記偶数フィールドのｋ−１番目の水平走査信号のいずれか一方の画像信号を選択可能に構成したことを特徴とする画像表示装置。
【発明の詳細な説明】
【技術分野】
【０００１】
本発明は、液晶パネル等の表示装置にインタレース走査方式の画像を表示させる画像信号の出力を調整している半導体装置、及びインタレース走査方式で画像を表示している画像表示装置に関するものである。
【背景技術】
【０００２】
従来、デジタルスチルカメラやカムコーダのように表示装置として液晶パネルを有する装置では、撮影した画像あるいは撮影する画像を液晶パネルに表示可能としている。
【０００３】
このように液晶パネルに所要の画像を表示させる場合において、通常、表示させる画像データはＮＴＳＣ（National Television System Committee）やＰＡＬ（Phase Alteration by Line）等のフォーマットの画像データとなっており、例えばＮＴＳＣフォーマットの場合には、水平方向の走査ライン数が５２５本で、１秒間に３０フレームのインタレース走査方式の画像データが用いられることが規定されている。
【０００４】
しかしながら、デジタルスチルカメラやカムコーダ等に設けられた液晶パネルは、比較的小型の液晶パネルであるために、水平方向の走査ライン数を５２５本に近い数とすることが困難であって、通常は２２０〜２４０本の走査ラインを有する液晶パネルを用いているために、ＮＴＳＣフォーマットやＰＡＬフォーマットの画像データを液晶パネルにそのまま表示させると、画像の一部分しか表示させることができず、液晶パネルの使用目的である撮影する画像の確認あるいは撮影した画像の確認を行うことができなかった。
【０００５】
そこで、このような場合、通常では、インタレース走査方式で表示する場合の奇数フィールドの画像信号を表示した走査ライン上に、偶数フィールドの画像信号を上書き表示させることが行われている（例えば、特許文献１参照。）。
【０００６】
このようにインタレース走査方式における奇数フィールドの画像信号を表示させた走査ライン上に偶数フィールドの画像信号を表示させる場合には、例えば、奇数フィールドのｋ番目の画像信号を表示した走査ライン上に表示させる偶数フィールドの画像信号としては、図３に示すように偶数フィールドのｋ番目の画像信号を用いる場合と、図４に示すように偶数フィールドのｋ−１番目の画像信号を用いる場合との２通りが存在しており、通常はいずれか一方だけを製造仕様として確定させ、この製造仕様に合わせて画像信号を生成するＤＳＰ（Digital Signal Processor）や液晶パネルを駆動させる所要の信号を生成する半導体装置（以下において、「駆動制御用半導体装置」という）を設計・製造していた。
【０００７】
このような奇数フィールドの画像信号に対する偶数フィールドの画像信号の組み合わせ方を「ペアリングルール」と呼ぶことにする。
【０００８】
図Ｘ１及び図Ｘ２中、「ODD(k)」はインタレース走査方式における奇数フィールドのｋ番目の画像信号を示しており、「EVEN(k)」はインタレース走査方式における偶数フィールドのｋ番目の画像信号を示している。「ODD(k)＆EVEN(k)」は、奇数フィールドのｋ番目の画像信号を表示した走査ライン上に偶数フィールドのｋ番目の画像信号を表示することを示している。
【特許文献１】特開平５−１３０５３６号公報
【発明の開示】
【発明が解決しようとする課題】
【０００９】
しかしながら、デジタルスチルカメラやカムコーダ等の装置の製造にあたってＤＳＰや駆動制御用半導体装置を用いる際に、ＤＳＰと駆動制御用半導体装置とでペアリングルールが異なっていた場合には、以下のような不具合があった。
【００１０】
すなわち、たとえば図５に示すように、ＤＳＰと駆動制御用半導体装置とがどちらも奇数フィールドのｋ番目の画像信号に対して偶数フィールドのｋ番目の画像信号を組み合わせるペアリングルールを採用している場合であって、奇数フィールドのｋ番目の画像信号が走査される走査ラインのみを黒線で表示し、それ以外は全て白線を表示したい場合には、ＤＳＰでは、奇数フィールドのｋ番目の画像信号を黒線を表示させる信号とするとともに、偶数フィールドのｋ番目の画像信号を黒線を表示させる信号として出力し、駆動制御用半導体装置ではＤＳＰから入力された信号に基づいて液晶パネルにおける奇数フィールドのｋ番目の画像信号が走査される走査ラインに黒線を表示させている。
【００１１】
ここで、図６に示すように、奇数フィールドのｋ番目の画像信号に対して偶数フィールドのｋ−１番目の画像信号を組み合わせるペアリングルールを採用している駆動制御用半導体装置を誤って用いた場合には、奇数フィールドのｋ番目の画像信号が走査される走査ラインでは、奇数フィールドの走査にともなって黒線を表示させる信号が走査された後に、偶数フィールドの走査にともなって白線を表示させる信号が走査されることによって中間色の灰色線が表示されたように見え、しかも、奇数フィールドのｋ＋１番目の画像信号が走査される走査ラインでは、奇数フィールドの走査にともなって白線を表示させる信号が走査された後に、偶数フィールドの走査にともなって黒線を表示させる信号が走査されることによって中間色の灰色線が表示されたように見え、黒線ではなく黒線が滲んだ灰色線として表示され、液晶パネルには誤った色調の画像が表されるというるという不具合があった。
【００１２】
そこで、デジタルスチルカメラやカムコーダ等の装置に用いる画像表示装置を製造する場合には、ＤＳＰと駆動制御用半導体装置とのペアリングルールを合わせたものを用いる必要があり、場合によっては専用のＤＳＰ及び／または駆動制御用半導体装置を新規に製造しなければならないことによって、製造コストを増大させるおそれがあった。
【課題を解決するための手段】
【００１３】
本発明の半導体装置では、インタレース走査方式に準じた画像信号の奇数フィールドと偶数フィールドの水平走査信号を同一走査ライン上に表示する画像信号を出力する半導体装置において、奇数フィールドのｋ番目の水平走査信号と同一走査ライン上に表示させる画像信号として、偶数フィールドのｋ番目の水平走査信号または偶数フィールドのｋ−１番目の水平走査信号のいずれか一方の画像信号を選択可能に構成した。
【００１４】
また、本発明の画像表示装置では、インタレース走査方式に準じた画像信号の奇数フィールドと偶数フィールドの水平走査信号を、画像表示手段の同一走査ライン上に表示する画像信号を出力する画像表示装置において、奇数フィールドのｋ番目の水平走査信号と同一走査ライン上に表示させる画像信号として、偶数フィールドのｋ番目の水平走査信号または偶数フィールドのｋ−１番目の水平走査信号のいずれか一方の画像信号を選択可能に構成した。
【発明の効果】
【００１５】
請求項１記載の発明によれば、インタレース走査方式に準じた画像信号の奇数フィールドと偶数フィールドの水平走査信号を同一走査ライン上に表示する画像信号を出力する半導体装置において、奇数フィールドのｋ番目の水平走査信号と同一走査ライン上に表示させる画像信号として、偶数フィールドのｋ番目の水平走査信号または偶数フィールドのｋ−１番目の水平走査信号のいずれか一方の画像信号を選択可能に構成したことによって、所要のペアリングルールに合わせることができるので１つの半導体装置で２通りの使用形態に対応することができ、汎用性を向上させることができる。したがって、量産効果が期待できることによって半導体装置の製造コストの低減を図ることができる。
【００１６】
請求項２記載の発明によれば、インタレース走査方式に準じた画像信号の奇数フィールドと偶数フィールドの水平走査信号を、画像表示手段の同一走査ライン上に表示する画像信号を出力する画像表示装置において、奇数フィールドのｋ番目の水平走査信号と同一走査ライン上に表示させる画像信号として、偶数フィールドのｋ番目の水平走査信号または偶数フィールドのｋ−１番目の水平走査信号のいずれか一方の画像信号を選択可能に構成したことによって、画像表示装置の汎用性を向上させることがでる。したがって、画像表示装置の量産効果を期待することができ、画像表示装置の製造コストを低減させて、安価な画像表示装置の提供を可能とすることができる。
【発明を実施するための最良の形態】
【００１７】
本発明の半導体装置及び画像表示装置では、インタレース走査方式に準じた画像信号の奇数フィールドと偶数フィールドの水平走査信号を、画像表示手段の同一走査ライン上に表示する画像信号を出力する半導体装置及び画像表示装置において、同一走査ライン上に表示する奇数フィールドの水平走査信号と偶数フィールドの水平走査信号とのペアリングルールを選択可能としているものである。
【００１８】
すなわち、奇数フィールドのｋ番目の水平走査信号と同一走査ライン上に表示させる画像信号として、偶数フィールドのｋ番目の水平走査信号または偶数フィールドのｋ−１番目の水平走査信号のいずれか一方の画像信号を選択可能に構成しているものである。
【００１９】
したがって、ペアリングルールを考慮することなく本発明の半導体装置を採用することができ、半導体装置において所要のペアリングルールに適合させて使用することができるので、半導体装置の汎用性を向上させることができる。したがって、量産効果が期待できることによって半導体装置及び画像表示装置の製造コストの低減を図ることができる。
【００２０】
以下において、図面に基づいて本発明の実施形態を詳説する。図１は、本実施形態の画像表示装置10のブロック図である。
【００２１】
画像表示装置10は、所要の画像を表示する液晶パネル１と、この液晶パネル１に表示させる表示用画像信号S2を生成するＤＳＰ２と、このＤＳＰ２で生成して出力した表示用画像信号S2から液晶パネル１の各画素の駆動制御を行う画素用駆動制御信号S3を生成する駆動制御用半導体装置３とで構成している。
【００２２】
本実施形態では画像信号の表示手段として液晶パネル１を用いているが、液晶パネル１に限定するものではなく有機ＥＬ（Electro Luminescence）ディスプレイ等の表示装置でインタレース操作方式を用いることができる表示装置であればよく、適宜の表示装置を用いてよい。
【００２３】
ＤＳＰ２は、図示しないＣＣＤ（Charge Coupled Device）等の撮像装置から入力された画像信号や、図示しない所要の画像データ記憶装置から入力された画像信号等の原初画像信号S1からＮＴＳＣフォーマットやＰＡＬフォーマット等の適宜のフォーマットとした表示用画像信号S2を生成して出力している。本実施形態では、ＤＳＰ２は、ＣＣＤから入力された原初画像信号S1からＮＴＳＣフォーマットの表示用画像信号S2を出力するようにしている。
【００２４】
駆動制御用半導体装置３は、表示用画像信号S2から画素用駆動制御信号S3を生成するドライバ回路3aと、液晶パネル１を所要のタイミングで動作させるためのパネル駆動制御信号S4を生成するタイミングジェネレータ回路3bとを有しており、タイミングジェネレータ回路3bで生成したパネル駆動制御信号S4も液晶パネル１に入力している。
【００２５】
タイミングジェネレータ回路3bには、ＤＳＰ２から出力した水平同期信号及び垂直同期信号の基準同期信号S5を入力しており、これらの基準同期信号S5を用いてパネル駆動制御信号S4となるＶＳＴ信号、ＶＣＫ信号、ＨＳＴ信号、ＨＣＫ１信号、ＨＣＫ２信号、ＥＮ信号、ＤＷＮ信号等の所要の信号を生成して出力している。
【００２６】
また、タイミングジェネレータ回路3bはドライバ回路用同期信号S6を生成し、このドライバ回路用同期信号S6をドライバ回路3aに入力することによりタイミングジェネレータ回路3bとドライバ回路3aとを同期させ、タイミングジェネレータ回路3bから液晶パネル１に入力するパネル駆動制御信号S4と、ドライバ回路3aから液晶パネル１に入力する画素用駆動制御信号S3とを同期させている。ここで、画素用駆動制御信号S3は、具体的にはＲ信号、Ｇ信号、Ｂ信号、ＣＯＭ信号である。
【００２７】
本実施形態では、タイミングジェネレータ回路3bには外部からペアリングルール選択信号S7を入力しており、このペアリングルール選択信号S7に基づいてペアリングルールの切替えを行っている。特に、タイミングジェネレータ回路3bでは、入力されたペアリングルール選択信号S7に基づいてＶＳＴ（垂直スタート）信号を調整することにより、ペアリングルールの切替えを行っている。
【００２８】
以下において、図２に基づいてペアリングルールの切替えについて具体的に説明する。なお、ここでは、駆動制御用半導体装置３にはＮＴＳＣフォーマットの表示用画像信号S2が入力されるものとしている。したがって、奇数フィールドには262本の走査ライン分の画像信号が含まれており、偶数フィールドにも262本の走査ライン分の画像信号が含まれている。また、この画像信号を表示する液晶パネル１は、２４０本の走査ラインを有しているものとする。
【００２９】
図２に示すように、垂直同期信号に基づいて奇数フィールド、偶数フィールドの順での画像信号が順次出力される際に、まず、水平同期信号に基づいて駆動制御用半導体装置３からの出力が開始される奇数フィールド中の画像信号のうち、最初の所定数の走査ライン分の画像信号が出力された後に、垂直スタート信号に基づいて奇数フィールドの画像信号の液晶パネル１への表示が開始される。
【００３０】
このように、垂直スタート信号に基づいて液晶パネル１での表示が開始されるまでの領域を先頭未表示領域Ａと呼ぶことにする。
【００３１】
次いで、液晶パネル１では、液晶パネル１の走査ライン数に相当する分の奇数フィールドの画像信号を順次表示して、最終の走査ラインに達したところで表示を一旦終了する一方で、駆動制御用半導体装置３では、残りの奇数フィールドの画像信号を順次出力する。
【００３２】
液晶パネル１で表示される画像信号を出力している領域を表示領域Ｂと呼び、表示領域Ｂ後の残りの奇数フィールドの画像信号を出力している領域を末尾未表示領域Ｃと呼ぶことにする。
【００３３】
奇数フィールドの画像信号の出力が終了したところで、垂直同期信号に基づいて偶数フィールドの画像信号の出力が開始される。
【００３４】
偶数フィールドの画像信号を出力する場合も、先頭未表示領域Ａとして最初の所定数の走査ライン分の画像信号が出力された後に、垂直スタート信号に基づいて偶数フィールドの画像信号の液晶パネル１への表示が開始される。
【００３５】
次いで、液晶パネル１では、液晶パネル１の走査ライン数に相当する分の偶数フィールドの画像信号を順次表示して、最終の走査ラインに達したところで表示を一旦終了する一方で、駆動制御用半導体装置３では、残りの偶数フィールドの画像信号を順次出力して、１フレームの画像の表示を行っている。
【００３６】
ペアリングルール選択信号S7に基づいて調整される垂直スタート信号は、偶数フィールドの画像信号に対する垂直スタート信号であって、ペアリングルール選択信号S7に基づいて偶数フィールドの画像信号に対する垂直スタート信号を時間的に前後にずらせるようにしている。
【００３７】
すなわち、タイミングジェネレータ回路3bにおいて垂直スタート信号を生成する場合に、ペアリングルール選択信号S7に基づいて、偶数フィールドの画像信号に対する垂直スタート信号を、先頭未表示領域Ａを規定する調整値に対してモード１またはモード２のいずれかを選択することによって所要のペアリングルールとなるようにしている。
【００３８】
たとえばモード１を選択した場合には、奇数フィールドのｋ番目の画像信号と同一走査ライン上に偶数フィールドのｋ番目の画像信号を表示させるODD(k)＆EVEN(k)のペアリングルールとなり、モード２を選択した場合には、奇数フィールドのｋ番目の画像信号と同一走査ライン上に偶数フィールドのｋ−１番目の画像信号を表示させるODD(k)＆EVEN(k-1)のペアリングルールとなるようにしている。ここで、ｋは自然数である。
【００３９】
したがって、先頭未表示領域Ａを規定する調整値を変更してもペアリングルールを保持することができる。
【００４０】
なお、先頭未表示領域Ａを規定する調整値を基準として偶数フィールドの画像信号に対する垂直スタート信号を生成するのではなく、奇数フィールドの画像信号に対する垂直スタート信号に基づいて水平同期信号のカウントを行って、ペアリングルール選択信号S7に基づいてカウント数を調整することによって偶数フィールドの画像信号に対する垂直スタート信号を生成することもできる。
【００４１】
すなわち、本実施形態の場合であれば、カウント数が263となったところで偶数フィールドの画像信号に対する垂直スタート信号を生成することによってODD(k)＆EVEN(k)のペアリングルールとすることができ、カウント数が262となったところで偶数フィールドの画像信号に対する垂直スタート信号を生成することによってODD(k)＆EVEN(k-1)のペアリングルールとすることができる。
【図面の簡単な説明】
【００４２】
【図１】本発明にかかる画像表示装置のブロック図である。
【図２】ペアリングルールに切替方法の説明図である。
【図３】ペアリングルールの説明図である。
【図４】ペアリングルールの説明図である。
【図５】正常なペアリングルールに基づいて画像表示される場合の説明図である。
【図６】誤ったペアリングルールに基づいて画像表示される場合の説明図である。
【符号の説明】
【００４３】
10  画像表示装置
１  液晶パネル
２  ＤＳＰ（Digital Signal Processor）
３  駆動制御用半導体装置
3a  ドライバ回路
3b  タイミングジェネレータ回路
S1  原初画像信号
S2  表示用画像信号
S3  画素用駆動制御信号
S4  パネル駆動制御信号
S5  基準同期信号
S6  ドライバ回路用同期信号
S7  ペアリングルール選択信号
【図１】
2005165154.tif 000003
【図２】
2005165154.tif 000004
【図３】
2005165154.tif 000005
【図４】
2005165154.tif 000006
【図５】
2005165154.tif 000007
【図６】
2005165154.tif 000008